(57)【要約】【課題】巻き出しローラと巻き取りローラとの間に中間ローラを配置することなく、空気濾過用フィルタを蛇行させること。【解決手段】空気濾過用フィルタ８との対向面に開口部４が形成された波型形状の波型板１を巻き出しローラ７と巻き取りローラ６との間に配置し、給気側チャンバ１２と排気側チャンバ１３とにケーシング５を区分けし、給気側チャンバ１２側に空気濾過用フィルタ８がくるようにする。【選択図】        図１
2010279858.tif 000002
【特許請求の範囲】
【請求項１】
空気濾過用フィルタを巻き出す巻き出しローラと、
前記巻き出しローラから巻き出された空気濾過用フィルタを巻き取る巻き取りローラと、
前記巻き出しローラおよび巻き取りローラを収容するケーシングと、
給気側チャンバと排気側チャンバとに前記ケーシングを区分けし、前記給気側チャンバ側に前記空気濾過用フィルタがくるように前記巻き出しローラと前記巻き取りローラとの間に配置され、前記空気濾過用フィルタとの対向面に開口部が形成された波型形状の波型板と、
前記排気側チャンバに送風を行う送風機とを備えることを特徴とする空気清浄装置。
【請求項２】
前記開口部は前記空気濾過用フィルタの幅よりも小さい範囲内に形成され、前記開口部が形成された範囲の外側には前記開口部が形成されていない縁部が前記波型板に設けられていることを特徴とする請求項１に記載の空気清浄装置。
【請求項３】
前記巻き取りローラによる前記空気濾過用フィルタの巻き取りを開始させてから第１の遅れ時間の経過後に前記巻き出しローラによる前記空気濾過用フィルタの巻き出しを開始させ、前記巻き取りローラによる前記空気濾過用フィルタの巻き取りを停止させてから第２の遅れ時間の経過後に前記巻き出しローラによる前記空気濾過用フィルタの巻き出しを停止させるフィルタ送り制御部をさらに備えることを特徴とする請求項１または２に記載の空気清浄装置。
【請求項４】
前記フィルタ送り制御部は、前記巻き取りローラによる前記空気濾過用フィルタの巻き取りおよび前記巻き出しローラによる前記空気濾過用フィルタの巻き出しを定期的に行わせることを特徴とする請求項３に記載の空気清浄装置。
【請求項５】
前記フィルタ送り制御部は、前記巻き取りローラによる前記空気濾過用フィルタの巻き取りおよび前記巻き出しローラによる前記空気濾過用フィルタの巻き出しを前記空気濾過用フィルタの圧力損失の検出結果に基づいて行わせることを特徴とする請求項３に記載の空気清浄装置。
【請求項６】
前記フィルタ送り制御部は、前記巻き取りローラによる前記空気濾過用フィルタの巻き取りおよび前記巻き出しローラによる前記空気濾過用フィルタの巻き出しを外部からの指令に基づいて行わせることを特徴とする請求項３に記載の空気清浄装置。
【請求項７】
前記フィルタ送り制御部は、前記巻き取りローラによる前記空気濾過用フィルタの巻き取りを行わせている間は前記送風機を停止させ、前記巻き取りローラによる前記空気濾過用フィルタの巻き取りを停止させ、前記巻き出しローラによる前記空気濾過用フィルタの巻き出しを行わせている間は前記送風機を動作させることを特徴とする請求項３から６のいずれか１項に記載の空気清浄装置。
【請求項８】
前記フィルタ送り制御部は、前記巻き取りローラによる前記空気濾過用フィルタの巻き取りを行わせている間は前記送風機を停止させ、前記巻き取りローラによる前記空気濾過用フィルタの巻き取りを停止させ、前記巻き出しローラによる前記空気濾過用フィルタの巻き出しを行わせている間は前記送風機を間欠的に動作させることを特徴とする請求項３から６のいずれか１項に記載の空気清浄装置。
【発明の詳細な説明】
【技術分野】
【０００１】
本発明は空気清浄装置に関し、特に、空気濾過用フィルタを蛇行させた空気清浄装置に関する。
【背景技術】
【０００２】
空気清浄装置では、空気濾過用フィルタのメンテナンスにかかる手間を軽減するため、空気濾過用フィルタをロール状に巻き取る巻き取り機構を設けたものがある。ここで、空気清浄装置の大型化を防止しつつ、空気濾過用フィルタの有効面積を拡大するために、空気濾過用フィルタを蛇行させる中間ローラを巻き出しローラと巻き取りローラとの間に配置する方法がある（特許文献１〜４）。
【先行技術文献】
【特許文献】
【０００３】
【特許文献１】実開平５−３９６２７号公報
【特許文献２】特開平７−２８４６８９号公報
【特許文献３】特開平８−８９８４０号公報
【特許文献４】特開平９−７５６５０号公報
【発明の概要】
【発明が解決しようとする課題】
【０００４】
しかしながら、上記従来の技術によれば、空気濾過用フィルタを蛇行させるためには、空気濾過用フィルタが中間ローラに対して交互に上下するように配置する必要があり、空気濾過用フィルタの交換に手間がかかるという問題があった。
【０００５】
また、上記従来の技術によれば、中間ローラを介して空気濾過用フィルタを巻き出しローラと巻き取りローラとの間に架け渡した際に空気濾過用フィルタの両側に隙間ができ、集塵性能が低下するという問題があった。
【０００６】
本発明は、上記に鑑みてなされたものであって、巻き出しローラと巻き取りローラとの間に中間ローラを配置することなく、空気濾過用フィルタを蛇行させることが可能な空気清浄装置を得ることを目的とする。
【課題を解決するための手段】
【０００７】
上述した課題を解決し、目的を達成するために、本発明の空気清浄装置は、空気濾過用フィルタを巻き出す巻き出しローラと、前記巻き出しローラから巻き出された空気濾過用フィルタを巻き取る巻き取りローラと、前記巻き出しローラおよび巻き取りローラを収容するケーシングと、給気側チャンバと排気側チャンバとに前記ケーシングを区分けし、前記給気側チャンバ側に前記空気濾過用フィルタがくるように前記巻き出しローラと前記巻き取りローラとの間に配置され、前記空気濾過用フィルタとの対向面に開口部が形成された波型形状の波型板と、前記排気側チャンバに送風を行う送風機とを備えることを特徴とする。
【発明の効果】
【０００８】
この発明によれば、巻き出しローラと巻き取りローラとの間に中間ローラを配置することなく、空気濾過用フィルタを蛇行させることが可能という効果を奏する。
【図面の簡単な説明】
【０００９】
【図１】図１は、本発明に係る空気清浄装置の実施の形態１の概略構成を示す側面図である。
【図２】図２は、図１の空気清浄装置に用いられる波型板の概略構成を示す斜視図である。
【図３】図３は、図１の空気清浄装置のフィルタ送り制御部による制御動作を示すタイミングチャートである。
【図４】図４は、図１の空気清浄装置のフィルタ送り状態を示す側面図である。
【図５】図５は、図１の空気清浄装置のフィルタ送り状態を示す側面図である。
【図６】図６は、本発明に係る空気清浄装置の実施の形態２のフィルタ送り制御部による制御動作を示すタイミングチャートである。
【発明を実施するための形態】
【００１０】
以下に、本発明に係る空気清浄装置の実施の形態を図面に基づいて詳細に説明する。なお、この実施の形態によりこの発明が限定されるものではない。
【００１１】
実施の形態１．
図１は、本発明に係る空気清浄装置の実施の形態１の概略構成を示す側面図、図２は、図１の空気清浄装置に用いられる波型板の概略構成を示す斜視図である。図１において、空気清浄装置のケーシング５内には、巻き出しローラ７および巻き取りローラ６が配置されている。ここで、巻き出しローラ７は空気濾過用フィルタ８を巻き出すことができる。巻き取りローラ６は、巻き出しローラ７から巻き出された空気濾過用フィルタ８を巻き取ることができる。
【００１２】
そして、巻き出しローラ７と巻き取りローラ６との間には、空気濾過用フィルタ８がうねらされた状態で支持する波型形状の波型板１が配置され、ケーシング５が給気側チャンバ１２と排気側チャンバ１３とに区分けされている。ここで、空気濾過用フィルタ８が給気側チャンバ１２側にくるように波型板１が配置されている。また、波型板１には、空気濾過用フィルタ８との対向面に開口部４が形成されている。なお、図２に示すように、開口部４は空気濾過用フィルタ８の幅よりも小さい範囲内に形成することが好ましい。また、開口部４が形成された範囲の外側には開口部４が形成されていない縁部３を波型板１に設けることが好ましい。
【００１３】
なお、開口部４の形状は、丸以外にも、四角や三角でもよいし、スリット状でもよい。また、波型板１に開口部４を設ける方法以外にも、波型板１にメッシュを設けるようにしてもよい。また、波型板１の材料は、アルミニウムやステンレスなどの金属を用いるようにしてもよいし、樹脂を用いるようにしてもよい。
【００１４】
そして、給気側チャンバ１２には、ケーシング５内に給気を行う給気口１０が設けられ、排気側チャンバ１３には、ケーシング５内の排気を行う排気口１１が設けられている。また、ケーシング５内には、排気側チャンバ１３に送風を行う送風機９が設けられている。
【００１５】
また、空気清浄装置には、フィルタ送り制御部２が設けられている。ここで、フィルタ送り制御部２は、送風機９の送風制御を行いつつ、巻き出しローラ７および巻き取りローラ６の回転制御を行うことで、目詰まりを起こした空気濾過用フィルタ８を巻き取りローラ６に巻き取らせるとともに、新しい空気濾過用フィルタ８を巻き出しローラ７から巻き出させ、空気濾過用フィルタ８を波型板１に沿ってうねらされた状態で支持させることができる。なお、フィルタ送り制御部２は、送風機９の動作をオン／オフさせるために送風機運転指示信号Ｓ１を出力することができる。また、フィルタ送り制御部２は、巻き取りローラ６の回転をオン／オフさせるために巻き取りローラ運転指示信号Ｓ２を出力することができる。また、フィルタ送り制御部２は、巻き出しローラ７の回転をオン／オフさせるために巻き出しローラ運転指示信号Ｓ３を出力することができる。
【００１６】
そして、空気濾過用フィルタ８を波型板１に沿ってうねらされた状態で支持させる場合、フィルタ送り制御部２は、巻き取りローラ６を停止させたまま巻き出しローラ７を回転させることで、巻き取りローラ６と巻き出しローラ７との間で空気濾過用フィルタ８を弛ませる。そして、フィルタ送り制御部２は、空気濾過用フィルタ８が弛んだ状態で送風機９を動作させる。ここで、送風機９が動作されると、空気濾過用フィルタ８を空気が通過する際の圧力損失によって給気側チャンバ１２と排気側チャンバ１３との間に気圧差が発生し、排気側チャンバ１３が陰圧になる。そして、排気側チャンバ１３が陰圧になると、巻き取りローラ６と巻き出しローラ７との間で弛まされた空気濾過用フィルタ８が排気側チャンバ１３側に引き寄せられ、波型板１に沿ってうねらされた状態で支持される。
【００１７】
これにより、空気濾過用フィルタ８が給気側チャンバ１２側にくるように波型板１を配置することで、空気濾過用フィルタ８を蛇行させることが可能となる。このため、空気濾過用フィルタ８を蛇行させるために、巻き出しローラ７と巻き取りローラ６との間に中間ローラを配置する必要がなくなり、中間ローラに対して交互に上下するように空気濾過用フィルタ８を配置する必要がなくなることから、空気濾過用フィルタ８の交換にかかる手間を軽減しつつ、空気濾過用フィルタ８の有効面積を拡大することが可能となる。
【００１８】
また、開口部４が形成された範囲の外側に開口部４が形成されていない縁部３を波型板１に設けることにより、空気濾過用フィルタ８の端部から空気が漏れるのを減らすことが可能となり、集塵性能の低下を抑制することができる。
【００１９】
図３は、図１の空気清浄装置のフィルタ送り制御部による制御動作を示すタイミングチャート、図４および図５は、図１の空気清浄装置のフィルタ送り状態を示す側面図である。図３において、空気清浄装置にて空気の清浄が行われている場合、巻き取りローラ運転指示信号Ｓ２および巻き出しローラ運転指示信号Ｓ３がオフされるとともに、送風機運転指示信号Ｓ１がオンされ、巻き出しローラ７および巻き取りローラ６の回転が停止された状態で送風機９の送風が継続される。
【００２０】
そして、例えば、図１の空気濾過用フィルタ８が目詰まりを起こした場合、フィルタ送り制御部２は、送風機運転指示信号Ｓ１をオフすることで、送風機９の送風を停止させる（時刻ｔ１）。そして、フィルタ送り制御部２は、送風機９の送風を停止させたら、巻き出しローラ運転指示信号Ｓ３をオフしたまま、巻き取りローラ運転指示信号Ｓ２をオンさせることで、巻き出しローラ７の回転を停止させたまま、巻き取りローラ６の回転を開始させ（時刻ｔ２）、図４に示すように、空気濾過用フィルタ８の弛みがなくなるまで巻き取りローラ６に空気濾過用フィルタ８を巻き取らせる。
【００２１】
そして、フィルタ送り制御部２は、所定の時間Ｔ１が経過したら、巻き出しローラ運転指示信号Ｓ３をオンすることで、巻き出しローラ７の回転を開始させ（時刻ｔ３）、新しい空気濾過用フィルタ８を巻き出しローラ７から巻き出させながら、目詰まりを起こした空気濾過用フィルタ８を巻き取りローラ６に巻き取らせる。なお、所定の時間Ｔ１は、巻き取りローラ６の回転を開始させてから空気濾過用フィルタ８の弛みがなくなるまでの時間に設定することができる。
【００２２】
そして、フィルタ送り制御部２は、目詰まりを起こした空気濾過用フィルタ８が巻き取りローラ６に全て巻き取らせたら、巻き出しローラ運転指示信号Ｓ３をオンしたまま、巻き取りローラ運転指示信号Ｓ２をオフ、送風機運転指示信号Ｓ１をオンすることで、巻き出しローラ７の回転を継続させたまま、巻き取りローラ６の回転を停止させるとともに、送風機９を動作させる（時刻ｔ４）。ここで、図５に示すように、巻き出しローラ７の回転を継続させたまま、巻き取りローラ６の回転を停止させることで、巻き出しローラ７と巻き取りローラ６との間で空気濾過用フィルタ８が弛ませられるとともに、送風機９を動作させることで空気濾過用フィルタ８が排気側チャンバ１３側に引き寄せられる。
【００２３】
そして、フィルタ送り制御部２は、所定の時間Ｔ２が経過したら、巻き出しローラ運転指示信号Ｓ３をオフすることで、巻き出しローラ７の回転を停止させる（時刻ｔ５）。なお、所定の時間Ｔ２は、巻き出しローラ７の回転を開始させてから空気濾過用フィルタ８の弛みが波型板１に沿ってうねらされる分に達するまでの時間に設定することができる。
【００２４】
なお、図１の空気濾過用フィルタ８が目詰まりを起こした場合に、巻き出しローラ７と巻き取りローラ６との間に新しい空気濾過用フィルタ８を送り出す方法について説明したが、巻き出しローラ７と巻き取りローラ６との間に新しい空気濾過用フィルタ８を定期的に送り出すようにしてもよいし、外部からの指示に基づいて空気濾過用フィルタ８を送り出すようにしてもよい。あるいは、空気濾過用フィルタ８の圧力損失をセンサにて検出し、その圧力損失がしきい値以上になったら空気濾過用フィルタ８を送り出すようにしてもよい。
【００２５】
実施の形態２．
図６は、本発明に係る空気清浄装置の実施の形態２のフィルタ送り制御部による制御動作を示すタイミングチャートである。図３の時刻ｔ４〜ｔ５の間では、図１のフィルタ送り制御部２は、送風機運転指示信号Ｓ１を連続してオンにしていたが、図６の例では、送風機運転指示信号Ｓ１を間欠的にオンする。
【００２６】
これにより、空気濾過用フィルタ８が排気側チャンバ１３側に引き寄せられたために波型板１に一旦張り付いた場合においても、空気濾過用フィルタ８を波型板１から引き離しながら、空気濾過用フィルタ８を巻き出しローラ７から巻き出させることが可能となる。このため、波型板１との間の摩擦によって空気濾過用フィルタ８が波型板１の表面に馴染まない場合においても、空気濾過用フィルタ８を波型板１にスムーズに吸着させることが可能となる。
【産業上の利用可能性】
【００２７】
以上のように本発明に係る空気清浄装置は、巻き出しローラと巻き取りローラとの間に中間ローラを配置することなく、空気濾過用フィルタを蛇行させることができ、空気濾過用フィルタの交換に手間をかけることなく、空気濾過用フィルタの有効面積を拡大する方法に適している。
【符号の説明】
【００２８】
１  波型板
２  フィルタ送り制御部
３  縁部
４  開口部
５  ケーシング
６  巻き取りローラ
７  巻き出しローラ
８  空気濾過用フィルタ
９  送風機
１０  給気口
１１  排気口
１２  給気側チャンバ
１３  排気側チャンバ
【図１】
2010279858.tif 000003
【図２】
2010279858.tif 000004
【図３】
2010279858.tif 000005
【図４】
2010279858.tif 000006
【図５】
2010279858.tif 000007
【図６】
2010279858.tif 000008